(57)【要約】【課題】設置時やメンテナンス時における作業性を向上することができる食器洗浄機を提供する。【解決手段】食器洗浄機１は、収納した食器類に洗浄水を噴射する洗浄ノズルと食器類に濯ぎ水を噴射する濯ぎノズルとが設けられた洗浄室と、洗浄室の下方に位置すると共に、外部から供給される供給水を貯留する貯湯タンクと、当該貯湯タンク内の供給水を濯ぎ水として濯ぎノズルに供給する濯ぎポンプとが収納された機械室と、機械室の下方に設けられ、洗浄水に投入される洗剤を収納する洗剤収納室Ｒ３と、を備えている。上記供給水を外部から貯湯タンクに供給するための外部給水管５３が接続される給水管接続口５５は、洗剤収納室Ｒ３内に設けられている。【選択図】図３
2010264002.tif 000002
【特許請求の範囲】
【請求項１】
収納した食器類に洗浄水を噴射する洗浄ノズルと前記食器類に濯ぎ水を噴射する濯ぎノズルとが設けられた洗浄室と、
前記洗浄室の下方に位置すると共に、外部から供給される供給水を貯留する貯湯タンクと、当該貯湯タンク内の供給水を前記濯ぎ水として前記濯ぎノズルに供給する濯ぎポンプとが収納された機械室と、
前記機械室の下方に位置すると共に、前記洗浄水に投入される洗剤を収納する洗剤収納室と、を備えた食器洗浄機であって、
前記供給水を外部から前記貯湯タンクに供給するための外部給水管が接続される給水管接続口は、前記洗剤収納室内に設けられることを特徴とする食器洗浄機。
【請求項２】
前記洗剤収納室には、
当該洗剤収納室を、前記洗剤を貯留する洗剤タンクが設置される洗剤タンク設置スペースと、前記外部給水管を収納し前記給水管接続口が位置する配管収納スペースと、に仕切る着脱自在な仕切板が設けられたことを特徴とする請求項１に記載の食器洗浄機。
【請求項３】
前記機械室の前面を覆う着脱自在な機械室外装パネルと、前記洗剤収納室の前面を覆う着脱自在な洗剤収納室外装パネルと、前記機械室と前記洗剤収納室とを区画する区画板と、前記給水管接続口からの前記供給水を前記貯湯タンクの前面に設けられた貯湯タンク導入口に導く供給水パイプとを備え、
前記仕切板には第１の切り欠き部が形成され、前記区画板の前縁には第２の切り欠き部が形成されており、
前記供給水パイプは、前記第１及び第２の切り欠き部を通過して前記給水管接続口と前記貯湯タンク導入口とを接続することを特徴とする請求項２に記載の食器洗浄機。
【請求項４】
前記濯ぎポンプと、前記洗浄ノズルに前記洗浄水を供給する洗浄ポンプと、を電子制御する電装箱を備え、
前記電装箱は、前記機械室に収納されることを特徴とする請求項１〜３の何れか１項に記載の食器洗浄機。
【発明の詳細な説明】
【技術分野】
【０００１】
本発明は、食器洗浄機に関するものである。
【背景技術】
【０００２】
従来、下記特許文献１に記載の食器洗浄機が知られている。この食器洗浄機は、食器等の洗浄を行なう洗浄室の下方にポンプ等の装置が収納された機械室が設けられ、洗浄タンクに貯留されている洗浄水を洗浄室に配設された洗浄ノズルに供給して食器等の洗浄を行う食器洗浄機である。この食器洗浄機においては、機械室の下方に、洗剤が貯留された洗剤タンクを収納する洗剤収納室が設けられ、洗剤タンクに貯留されている洗剤を、供給手段を用いて洗浄水タンクまたは洗浄水供給経路に自動供給するよう構成されている。また洗剤収納室の底面から外部に露出し、洗剤収納室底面と床面との間に位置するように給水管接続口が設けられており、当該給水管接続口には、外部からの水を供給する外部給水管が接続される。そして、食器の洗浄に用いられる水は、例えば、外部の給湯器から上記の外部給水管を通じて機内に供給される。
【先行技術文献】
【特許文献】
【０００３】
【特許文献１】特開２００３−２４２６１号公報
【発明の概要】
【発明が解決しようとする課題】
【０００４】
この食器洗浄機を設置場所に設置する際には、外部給水管を給水管接続口に接続する作業が必要である。また、この食器洗浄機のメンテナンス時には、上記給水管接続口と外部給水管との着脱が必要な場合もある。ところが、給水管接続口は洗剤収納室の底面と床面との間に位置しているので、給水管接続口への外部給水管の着脱にあっては、脚部の高さ分の狭い範囲内での作業が強いられ、例えばナット締めの際にスパナが回しにくいなど、作業性が良くなかった。
【０００５】
そこで、本発明は、設置時やメンテナンス時における作業性を向上することができる食器洗浄機を提供することを目的とする。
【課題を解決するための手段】
【０００６】
本発明の食器洗浄機は、収納した食器類に洗浄水を噴射する洗浄ノズルと食器類に濯ぎ水を噴射する濯ぎノズルとが設けられた洗浄室と、洗浄室の下方に位置すると共に、外部から供給される供給水を貯留する貯湯タンクと、当該貯湯タンク内の供給水を濯ぎ水として濯ぎノズルに供給する濯ぎポンプとが収納された機械室と、機械室の下方に位置すると共に、洗浄水に投入される洗剤を収納する洗剤収納室と、を備えた食器洗浄機であって、供給水を外部から貯湯タンクに供給するための外部給水管が接続される給水管接続口は、洗剤収納室内に設けられることを特徴とする。
【０００７】
この食器洗浄機は、洗浄室と、機械室と、洗剤収納室とを備えており、給水管接続口が洗剤収納室内に設けられている。貯湯タンクに供給される供給水は、外部からの外部給水管から供給され、外部給水管は、洗剤収納室内に設けられた給水管接続口に接続される。給水管接続口が洗剤収納室内に設けられているので、給水管接続口が床面付近に位置する場合に比べて、外部給水管を着脱する作業を、洗剤収納室の広いスペースで行うことができる。従って、外部給水管を着脱する作業が必要な設置時やメンテナンス時において、作業性が向上する。
【０００８】
また、洗剤収納室には、当該洗剤収納室を、洗剤を貯留する洗剤タンクが設置される洗剤タンク設置スペースと、外部給水管を収納し給水管接続口が位置する配管収納スペースと、に仕切る着脱自在な仕切板が設けられることが好ましい。
【０００９】
例えば、洗剤を洗剤タンクに補充する場合には、ユーザが洗剤収納室を開ける必要がある。洗剤収納室内には、外部給水管や給水管接続口が存在しており、外部給水管や給水管接続口に高温の水を流通させる場合にあっては、ユーザが外部給水管や給水管接続口に触れると危険な場合もある。ところが、この食器洗浄機にあっては、外部給水管や給水管接続口が配置される配管収納スペースが、仕切板によって洗剤タンク設置スペースから仕切られているので、洗剤を補充する際などにユーザが外部給水管や給水管接続口に触れてしまうことを避けることができる。また、仕切板は着脱自在であるので、外部給水管を給水管接続口に着脱する作業時には、仕切板を取り外すことができ、給水管接続口に容易にアクセスすることができる。
【００１０】
また、本発明の食器洗浄機は、機械室の前面を覆う着脱自在な機械室外装パネルと、洗剤収納室の前面を覆う着脱自在な洗剤収納室外装パネルと、機械室と洗剤収納室とを区画する区画板と、給水管接続口からの供給水を貯湯タンクの前面に設けられた貯湯タンク導入口に導く供給水パイプとを備え、仕切板には第１の切り欠き部が形成され、区画板の前縁には第２の切り欠き部が形成されており、供給水パイプは、第１及び第２の切り欠き部を通過して給水管接続口と貯湯タンク導入口とを接続することとしてもよい。
【００１１】
この食器洗浄機では、供給水パイプが、仕切板の上端の第１の切り欠き部と区画板の前縁の第２の切り欠き部を通過して給水管接続口と貯湯タンク導入口とを接続している。従って、機械室外装パネルと洗剤収納室外装パネルと仕切板とを取り外すことにより、外部給水管、給水管接続口、供給水パイプ、貯湯タンク導入口といったような給水関係の部分が、前面側から近い位置に現れることになる。従って、給水関係の部材の配管作業やメンテナンスを、前面側から容易に行うことができる。また、供給水パイプは、貫通穴ではなく第１及び第２の切り欠き部を通過させているので、取り外しも容易である。
【００１２】
また、本発明の食器洗浄機は、濯ぎポンプと、洗浄ノズルに洗浄水を供給する洗浄ポンプと、を電子制御する電装箱を備え、電装箱は、機械室に収納されることとしてもよい。この場合、電装箱を、洗剤収納室ではなく機械室に収納するので、洗剤収納室における洗剤の貯留スペースを広くし、洗剤の貯留容量を向上することができる。
【発明の効果】
【００１３】
本発明の食器洗浄機によれば、設置時やメンテナンス時における作業性を向上することができる。
【図面の簡単な説明】
【００１４】
【図１】本発明の食器洗浄機の一実施形態を示す斜視図である。
【図２】図１の食器洗浄機において、洗剤収納室の外装パネルを外した状態を示す斜視図である。
【図３】図１の食器洗浄機において、仕切板を外した状態の洗剤収納室を示す斜視図である。
【図４】図２におけるIV-IV断面図である。
【図５】図１の食器洗浄機において、供給水パイプを通過させる切り欠き部を拡大して示す斜視図である。
【図６】図１の食器洗浄機において、ポンプブラケット近傍を示す斜視図である。
【図７】図１の食器洗浄機において、電装箱が機械室のシャーシに立て掛けられた状態を示す斜視図である。
【図８】図１の食器洗浄機において、機械室のシャーシの前端部分を拡大して示す斜視図である。
【図９】機械室のシャーシに電装箱ホルダの端部が差し込まれた状態を示す図８におけるIX-IX断面図である。
【図１０】図１の食器洗浄機において、電装箱ホルダの上に電装箱が載置された状態を示す斜視図である。
【発明を実施するための形態】
【００１５】
以下、図面を参照しつつ本発明に係る食器洗浄機の好適な実施形態について詳細に説明する。
【００１６】
図１に示すように、食器洗浄機１は、ステンレス製の洗浄機本体３を有している。この洗浄機本体３の内部スペースは、上下方向に、洗浄室Ｒ１、機械室Ｒ２、洗剤収納室Ｒ３といった３つの部屋に仕切られている。洗浄機本体３の底面の四隅には脚部５が取り付けられており、食器洗浄機１の安定した設置が可能となっている。３つの部屋うち一番上に位置する洗浄室Ｒ１の内部には、洗浄すべき食器類が収納される。洗浄室Ｒ１の前面側には、洗浄室Ｒ１の開閉を行うための開閉扉Ｄ１が設けられており、この開閉扉Ｄ１を開けることで食器類を洗浄室Ｒ１に出し入れ可能である。そして、洗浄室Ｒ１内には、収納された食器類に対して水平に回転しながら洗浄水を噴射する上下一対の洗浄ノズル１１ａ，１１ｂと、食器類に対して水平に回転しながら濯ぎ水を噴射する上下一対の濯ぎノズル１３ａ，１３ｂと、が設けられている。
【００１７】
洗浄室Ｒ１の下方に位置する機械室Ｒ２には、洗浄ノズル１１ａ，１１ｂから噴射された洗浄水を再度貯留する洗浄タンク１５が、洗浄室Ｒ１から下方に突出して位置している。更に機械室Ｒ２には、洗浄タンク１５内の洗浄水を再び洗浄ノズル１１ａ，１１ｂに供給する洗浄ポンプ１７が設置されている。機械室Ｒ２の底面を構成する水平な板状のシャーシ（区画板）１９には、当該シャーシ１９上面から上方に立ち上がるポンプブラケット２５が固定されている。そして、洗浄ポンプ１７は、当該ポンプブラケット２５を介して、シャーシ１９に固定されている。また、機械室Ｒ２には、外部給湯器（図示せず）から供給される供給水を一時貯留する貯湯タンク２１と、この貯湯タンク２１内の供給水を濯ぎ水として濯ぎノズル１３ａ，１３ｂに供給する濯ぎポンプ２３と、が設置されている。更に、機械室Ｒ２には、後述の洗剤を洗浄タンク１５内の洗浄水に投入する洗剤供給装置２７が設置されている。
【００１８】
また、機械室Ｒ２には、食器洗浄機１全体の制御を行うための電装箱２９が収納されている。電装箱２９には、洗浄ポンプ１７及び濯ぎポンプ２３の制御をはじめとして、食器洗浄機１の動作全般を電子制御するマイクロコンピュータ等が収納されている。この電装箱２９の奥側の端部は、当該端部に設けられた突片がシャーシ１９に設けられた穴に引っ掛かることで係止されている。そして、電装箱２９の手前側の端部は、当該端部に設けられた舌片２９ａがシャーシ１９にネジ止めされることにより固定されている。従って、メンテナンス時等には、前方側から舌片２９ａのネジを外すことにより、配線ケーブルの長さが許す限り電装箱２９を手前側に引き出すことができる。また、機械室Ｒ２の前面外装パネルＰ２（図２参照）は、差込構造やネジ止めなどの公知の取付手段により着脱可能に取り付けられている。
【００１９】
図１〜図４に示すように、機械室Ｒ２の下方に位置する洗剤収納室Ｒ３には、洗剤が貯留される洗剤タンク３１と、リンスが貯留されるリンスタンク３３と、が収納されている。洗剤タンク３１内の洗剤は、前述の洗剤供給装置２７によって洗浄タンク１５内に投入される。洗剤収納室Ｒ３の前面外装パネルＰ３は、差込構造、ネジ止めなどの公知の取付手段により着脱可能に取り付けられている。前面外装パネルＰ３には、洗剤及びリンス剤の残量を外側から目視確認するための残量確認窓３５，３７がそれぞれ形成されている。
【００２０】
また、洗剤収納室Ｒ３内においてタンク３１，３３の奥側のスペースには、リンスタンク３３内のリンス剤を濯ぎ水に投入するリンス供給装置３９も収納されている。また、タンク３１，３３の奥側のスペースには、洗剤タンク３１と洗剤供給装置２７とを接続する接続ホースや、リンスタンク３３とリンス供給装置３９とを接続する接続ホースも収納される。洗剤タンク３１及びリンスタンク３３は、公知の引き出し機構によって手前に引き出すことができるので、タンクの交換や洗剤等の補充が容易である。
【００２１】
洗剤収納室Ｒ３と機械室Ｒ２とは、前述のシャーシ１９で仕切られている。洗浄タンク１５から下方に伸びる排水ホース４１は、機械室Ｒ２からシャーシ１９を貫通して、洗剤収納室Ｒ３を通過し、更に洗剤収納室Ｒ３の底板４５を貫通して機外まで延びている。この排水ホース４１は、洗浄タンク１５でオーバーフローした洗浄水を機外に導き排出させる。また同様に、貯湯タンク２１から下方に伸びる排水ホース４３は、機械室Ｒ２からシャーシ１９を貫通して、洗剤収納室Ｒ３を通過し、更に洗剤収納室Ｒ３の底板４５を貫通して機外まで延びている。この排水ホース４３は、貯湯タンク２１内に貯留された供給水を、メンテナンス時など必要に応じて機外に導き排出させる。また、排水ホース４３は、貯湯タンク２１内に設けられたオーバーフロー管からのオーバーフロー水も排出できるようになっている。
【００２２】
この食器洗浄機１に対する外部給湯器からの供給水は、最初に貯湯タンク２１に導入され、貯湯タンク２１は一時的に供給水を貯留する。そして、外部から食器洗浄機１の機内への供給水の入口は、洗剤収納室Ｒ３内に位置している。すなわち、図３に示すように、洗剤収納室Ｒ３内の側壁から突出するフレームの突出片４７に対し、ブラケットを介して接続部４９が取り付けられている。なお、接続部４９を洗剤収納室Ｒ３内に固定することができれば、他の固定方法を用いてもよい。この接続部４９の前面にある出口側には、上方に延びる給水パイプ（供給水パイプ）５１の一端が連結されている。この給水パイプ５１は、接続部４９から貯湯タンク２１へ供給水を導くものであり、給水パイプ５１の一部には、断熱材が巻き付けられている。給水パイプ５１の他端は、貯湯タンク２１の前面に設けられた給水バルブ（貯湯タンク導入口）２１ａに接続されている。給水バルブ２１ａは、貯湯タンク２１における供給水の導入口である。
【００２３】
一方、下方に開口した接続部４９の入口側は、外部給湯器からの外部給水管５３が接続される給水管接続口５５である。この給水管接続口５５に対して外部給水管５３がナット締めで接続される。このような外部給水管５３の接続により、外部給湯器からの供給水は、外部給水管５３から接続部４９を通じて機内に導入され、更に給水パイプ５１を通じて、給水バルブ２１ａから貯湯タンク２１内に導入される。なお、外部給湯器からの外部給水管５３は、底板４５を貫通して洗剤収納室Ｒ３内に引き込まれ、給水管接続口５５に接続される。なお、底板４５には、外部給水管５３、排水ホース４１及び排水ホース４３の３つの配管それぞれを通過させるための３つの貫通穴が形成される。また、このような３つの貫通穴が形成される構成に代えて、１つの大きな貫通穴を底板４５に形成し、この１つの貫通穴に上記３つの配管をまとめて通過させるようにしてもよい。このように貫通穴を１つにまとめる構成によれば、底板４５の加工のための工数を削減することができ、上記３つの配管をひとまとめにすることができる。
【００２４】
また、図３及び図４に示すように、洗剤収納室Ｒ３内には、当該洗剤収納室Ｒ３を２つのスペースに仕切る仕切部６１が設けられている。仕切部６１は、洗剤収納室Ｒ３のフレームにネジ止めで固定される仕切板６１ａと、底板４５に対して固定片４５ａを介してネジ止めで固定されるＬ字形の仕切板６１ｂと、で構成されている。このような着脱自在な仕切部６１によって、洗剤タンク３１及びリンスタンク３３が収納されるタンク設置スペースＲ３ａと、給水管接続口５５及び外部給水管５３が存在するＬ字形の配管収納スペースＲ３ｂと、が仕切られている。配管収納スペースＲ３ｂには、排水ホース４１，４３といった排水関係の配管も収納される。なお、リンス供給装置３９は、タンク設置スペースＲ３ａ内において洗剤タンク３１やリンスタンク３３の奥側に設置される。また、洗剤タンク３１やリンスタンク３３の奥側のスペースには、洗剤タンク３１やリンスタンク３３に接続される接続ホース等も収納される。また、前述の通り、電装箱２９を、洗剤収納室Ｒ３ではなく機械室Ｒ２に収納しているので、洗剤収納室Ｒ３における洗剤タンク３１及びリンスタンク３３の設置スペースを広くし、洗剤及びリンスの貯留容量を向上することができる。
【００２５】
また、外部給水管５３や接続部４９は、高温の水を流通させることから表面が高温になりやすく、ユーザが触れてしまうと危険な場合もある。これに対し、この食器洗浄機１によれば、例えば、洗剤やリンスの補充のために前面外装パネルＰ３を開けた場合、図２に示すように、外部給水管５３や接続部４９は、仕切部６１の背後に位置することになり、直接触れることができない。従って、仕切部６１の存在により、高温の部分にユーザが触れてしまう危険を避けることができる。
【００２６】
また、仕切板６１ａの上端には、半円形の切り欠き（第１の切り欠き部）６１ｃが形成されている。そして、図５に示すように、シャーシ１９の前縁には、切り欠き６１ｃの近傍の位置に半円形の切り欠き（第２の切り欠き部）１９ａが形成されている。そして、給水パイプ５１は、接続部４９から切り欠き６１ｃ及び切り欠き１９ａを通過して、前面外装パネルＰ２，Ｐ３の直ぐ内側に沿って鉛直に延び、貯湯タンク２１の前面側にある給水バルブ２１ａ（図１参照）に繋がっている。従って、前面外装パネルＰ２，Ｐ３と仕切板６１ａとを取り外すことにより、外部給水管５３、接続部４９、給水パイプ５１、給水バルブ２１ａといったような給水関係の部材が、前面側から近い位置に現れることになる。従って、給水関係の部材の配管作業やメンテナンスを、前面側から容易に行うことができる。また、給水パイプ５１は、貫通穴ではなく切り欠き６１ｃ及び切り欠き１９ａを通過させているので、取り外しも容易である。
【００２７】
次に、接続部４９が洗剤収納室Ｒ３内に位置することによる作用効果について説明する。ここで、食器洗浄機１を、例えば飲食店の厨房などに導入・設置する場合を考える。食器洗浄機１の導入・設置にあたっては、設置場所に食器洗浄機１を置いた後、外部給水管５３を給水管接続口５５に接続する作業が必要である。このとき、前面外装パネルＰ３と仕切板６１ａ，６１ｂとを外して、設置場所に予め準備された外部給水管５３を、底板４５の下方から洗剤収納室Ｒ３内に引き込む。そして、引き込んだ外部給水管５３を、給水管接続口５５にナット締めで接続することになる。このような厨房等への導入・設置時においては、未だ洗剤タンク３１及びリンスタンク３３が収納されていない場合が多いため、洗剤収納室Ｒ３の広い作業空間でスパナを回すことも容易であり、効率がよい接続作業が可能である。また、洗剤タンク３１及びリンスタンク３３が既に収納されている場合にも、作業時に一時的に洗剤タンク３１及びリンスタンク３３を取り出すことができるので、同じく、洗剤収納室Ｒ３の広い作業空間での接続作業が可能である。
【００２８】
従って、底板４５の下方に給水管接続口を設ける場合に比較して、設置作業の作業性が向上する。また、底板４５の下方に給水管接続口を設ける場合に比較して、接続部４９と貯湯タンク２１の給水バルブ２１ａとが近くなるので、給水パイプ５１を短くすることができる。
【００２９】
続いて、電装箱２９のメンテナンス時の取り扱いについて説明する。電装箱２９のメンテナンスを行う場合には、電装箱２９を機械室Ｒ２から引き出すことが必要である。前述のように、電装箱２９の手前側のネジを外すことにより、電装箱２９を容易に手前に引き出すことができる。ところが、電装箱２９を機械室Ｒ２に配置したことから、洗剤収納室Ｒ３に配置する場合よりも、電装箱２９は床面から遠い位置にある。従って、電装箱２９を手前に引き出したとしても、配線ケーブルの長さによっては、配線ケーブルを繋いだまま電装箱２９を床面に置くことは出来ない。従って、電装箱２９のメンテナンスの際には、電装箱２９を置くために、機械室Ｒ２の高さと同程度の高さの置き台等を準備する必要があり、運用が煩雑になってしまう。また、電装箱２９から引き出す配線ケーブルを長くすることも考えられるが、当該配線ケーブルを折り畳んで収納するスペースが機内に必要になるので、機内の省スペースの観点から好ましくない。また、電装箱２９を洗剤収納室Ｒ３に配置することも考えられるが、洗剤及びリンスの貯留容量の向上を図る観点から好ましくない。
【００３０】
そこで、この食器洗浄機１では、図６に示すように、ポンプブラケット２５の下部を貫通するピン穴２５ａが形成され、シャーシ１９の前面の立上がり部の上縁に切り欠き１９ｃが形成されている。この構成に基づいて、電装箱２９のメンテナンス時には、別途準備したピン７１を、切り欠き１９ｃに係合させながらピン７１の先端をピン穴２５ａに差し込み、ピン７１の手前側をシャーシ１９から斜め上前方に突き出させるようにする。そして、図７に示すように、機械室Ｒ２から電装箱２９を引き出して、シャーシ１９に立て掛ける。このとき、図６に示すように、電装箱２９の舌片２９ａに形成された穴２９ｂを、シャーシ１９の手前に突き出したピン７１に通した状態とすることで、電装箱２９の上端部分の左右方向の動きをシャーシ１９に対して固定することができる。このように、電装箱２９をシャーシ１９に安定して立て掛けることができるので、立て掛けた状態でメンテナンス作業を行うことができる。
【００３１】
なお、図７に示すように、電装箱２９をシャーシ１９に立て掛けた状態とするためには、電装箱２９の下端を床面に接地させるべく、床面からシャーシ１９までの距離よりも電装箱２９の全長の方が長いことが必要である。これに対し、床面からシャーシ１９までの距離よりも電装箱２９の全長の方が短い場合は、電装箱２９がピン７１に懸垂され振り子状に動く状態となるが、このような懸垂された状態において電装箱２９のメンテナンスを行うことが可能である。メンテナンス時に電装箱２９を安定して固定する観点からは、床面からシャーシ１９までの距離よりも電装箱２９の全長の方が長いことが好ましい。
【００３２】
更に、この食器洗浄機１では、図８に示すように、シャーシ１９に差し込み穴１９ｄが２つ形成されている。差し込み穴１９ｄは、シャーシ１９の前面の立上がり部よりもやや奥側に位置し、シャーシ１９を上下に貫通する穴である。この構成に基づき、電装箱２９のメンテナンス時には、Ｕ字状に湾曲させた金属棒からなる電装箱ホルダ７３を別途準備する。そして、図９に示すように、電装箱ホルダ７３の２つの端部を、対応する差し込み穴１９ｄにそれぞれ差し込むと、電装箱ホルダ７３は差し込み穴１９ｄとシャーシ１９前面の立上がり部の上縁とで支えられ、電装箱ホルダ７３の手前側がシャーシ１９から突き出した状態となる。
【００３３】
そして、図１０に示すように、シャーシ１９から手前に突きだした電装箱ホルダ７３の上に、機械室Ｒ２から引き出した電装箱２９を載置することができ、電装箱２９のメンテナンスを行うことができる。このように、メンテナンス時において、電装箱２９を機械室Ｒ２の高さで安定して載置することができる。
【００３４】
以上のように、この食器洗浄機１では、洗剤収納室Ｒ３における洗剤タンク３１及びリンスタンク３３の設置スペースを広くすべく、電装箱２９を、高い位置の機械室Ｒ２に収納しているが、メンテナンス時において、電装箱２９を床面に置く必要がないので、電装箱２９と機械室Ｒ２の各部とを繋ぐ配線ケーブルを長くする必要がなく、機械室Ｒ２の省スペースを図ることができる。また、メンテナンス時においては、機械室Ｒ２の高さに相当する高さの置き台等も必要なく、機械室Ｒ２から引き出した電装箱２９を安定して固定することができる。
【符号の説明】
【００３５】
１…食器洗浄機、１１ａ，１１ｂ…洗浄ノズル、１３ａ，１３ｂ…濯ぎノズル、１９…シャーシ（区画板）、１９ａ…第２の切り欠き部、２１…貯湯タンク、２１ａ…給水バルブ（貯湯タンク導入口）、２３…濯ぎポンプ、２９…電装箱、５１…給水パイプ（供給水パイプ）、５３…外部給水管、５５…給水管接続口、６１…仕切部、６１ａ，６１ｂ…仕切板、６１ｃ…第１の切り欠き部、Ｐ２…機械室外装パネル、Ｐ３…洗剤収納室外装パネル、Ｒ１…洗浄室、Ｒ２…機械室、Ｒ３…洗剤収納室、Ｒ３ａ…タンク設置スペース（洗剤タンク設置スペース）、Ｒ３ｂ…配管設置スペース。
【図１】
2010264002.tif 000003
【図２】
2010264002.tif 000004
【図３】
2010264002.tif 000005
【図４】
2010264002.tif 000006
【図５】
2010264002.tif 000007
【図６】
2010264002.tif 000008
【図７】
2010264002.tif 000009
【図８】
2010264002.tif 000010
【図９】
2010264002.tif 000011
【図１０】
2010264002.tif 000012